(57)【要約】      （修正有）【課題】構造が簡単でありながら、耐久性に優れ、歯間の清掃等に好適に用いられる歯科用ハンドピースを提供する。【解決手段】軸回転駆動伝達部１３を内蔵するハンドピース本体部４と、前記ハンドピース本体部４の先側に連接されたヘッドハウジング２０を含む先端ヘッド部２と、該ヘッドハウジング２０に前記軸回転駆動伝達部１３の軸心Ｌ１と直交する方向に往復移動可能に内装され、歯科用工具５を着脱自在に挿通保持し得る中空円筒状の工具保持部材１９とを備えた歯科用ハンドピース１であって、前記軸回転駆動伝達部１３の先端部には、前記軸心Ｌ１と偏心した円柱状カム部１６が設けられ、前記工具保持部材１９の外周部には、前記円柱状カム部１６を嵌挿し得る凹溝１９５が周方向に沿って形成され、前記円柱状カム部１６には相対摺接可能な円環状軸受１７が外装され、前記円柱状カム部１６は該軸受１７が外装された状態で前記凹溝１９５に嵌挿されている。【選択図】図２
2014121445.tif 000002
【特許請求の範囲】
【請求項１】
軸回転駆動伝達部を内蔵するハンドピース本体部と、前記ハンドピース本体部の先側に連接されたヘッドハウジングを含む先端ヘッド部と、該ヘッドハウジングに前記軸回転駆動伝達部の軸心と直交する方向に往復移動可能に内装され、歯科用工具を着脱自在に挿通保持し得る中空円筒状の工具保持部材とを備えた歯科用ハンドピースであって、
前記軸回転駆動伝達部の先端部には、前記軸心と偏心した円柱状カム部が設けられ、
前記工具保持部材の外周部には、前記円柱状カム部を嵌挿し得る凹溝が周方向に沿って形成され、
前記円柱状カム部には相対摺接可能な円環状軸受が外装され、前記円柱状カム部は該軸受が外装された状態で前記凹溝に嵌挿されていることを特徴とする歯科用ハンドピース。
【請求項２】
請求項１に記載の歯科用ハンドピースにおいて、
前記工具保持部材は、前記ヘッドハウジングとの間に設けられる規制手段によって、軸回転不能とされていることを特徴とする歯科用ハンドピース。
【請求項３】
請求項請求項２に記載の歯科用ハンドピースにおいて、
前記工具保持部材は、当該工具保持部材の軸心を含み、且つ前記軸回転駆動伝達部の軸心に直交する面に対して対称に形成されていることを特徴とする歯科用ハンドピース。
【請求項４】
請求項１乃至請求項３のいずれか一項に記載の歯科用ハンドピースにおいて、
前記工具保持部材は、前記往復移動方向に沿った前記凹溝の両側において、第１及び第２の滑り軸受を介して前記ヘッドハウジングに前記往復移動可能に支持されていることを特徴とする歯科用ハンドピース。
【請求項５】
請求項４に記載の歯科用ハンドピースにおいて、
前記第１及び第２の滑り軸受のうち第１の滑り軸受は、前記歯科用工具が挿通される側とは反対側のヘッドハウジングの開口部に取付けられる円環状キャップを兼ねるものであることを特徴とする歯科用ハンドピース。
【請求項６】
請求項５に記載の歯科用ハンドピースにおいて、
前記第１の滑り軸受には、前記ヘッドハウジングの内外に通じる溝が形成されていることを特徴とする歯科用ハンドピース。
【発明の詳細な説明】
【技術分野】
【０００１】
本発明は、歯科用ハンドピースに関し、具体的には、歯間の清掃等に使用される歯科用ハンドピースの改良に関するものである。
【背景技術】
【０００２】
歯科用ハンドピースとして、ハンドピース本体部（把持部）に内蔵される軸回転駆動伝達部からの軸回転運動を、先端ヘッド部に装着される歯科用工具を、前記軸回転駆動伝達部の軸心に直交する方向の往復運動に変換するよう構成されたものがある（例えば、特許文献１及び２参照）。特許文献１には、把持部内の回転軸の先端に設けられた偏心軸を頭部筐体内の、根管治療用切削具を嵌合保持する作動駒の外周面に設けられた嵌合凹溝に嵌合させることによって、回転軸の軸回転を、前記作動駒の該回転軸に直交する方向への往復動に変換させるよう構成された歯科用ハンドピースが開示されている。また、特許文献２にも、ハンドピース内の駆動キャリッジの先端に設けられた偏心円筒駆動ピンを、角度ヘッド筐体に設けられる工具装着用の中空円筒ラムスリーブの外周に設けられる周辺溝に嵌合させることによって、前記駆動キャリッジの軸回転を、前記中空円筒ラムスリーブの該駆動キャリッジの軸に直交する方向への往復動に変換させるよう構成された歯科用ハンドピースが開示されている。
【先行技術文献】
【特許文献】
【０００３】
【特許文献１】実公平４−１１６９５号公報
【特許文献１】特許第１７８１１２５号公報
【発明の概要】
【発明が解決しようとする課題】
【０００４】
ところで、前記両特許文献１，２における偏心軸及び偏心円筒駆動ピン（以下、これらを偏心軸と言う）は、嵌合凹溝及び周辺溝（以下、これらを凹溝と言う）に、その溝壁に直接接するように嵌合されている。そして、前記偏心軸の偏心回転に伴うカム作用によって、前記凹溝の溝壁をカムフォロアとして、前記作動駒及び中空円筒ラムスリーブを軸回転駆動伝達部としての前記回転軸及び駆動キャリッジの軸に直交する方向に往復動させるようにしている。即ち、カムとしての偏心軸が前記カムフォロアとしての溝壁に擦れ合いながら偏心回転するため、偏心軸の摩耗及び損傷が激しい。しかも、前記偏心軸の周面の全周が前記溝壁に擦れ合うが、前記回転軸及び駆動キャリッジの軸から遠い部分の回転半径が最も大きいため、この部分の前記擦れ合時の周速度が最も大きく、これによってこの部分が片減りし易い。このため、前記作動駒及び中空円筒ラムスリーブの往復動のストローク幅が小さくなり、作動駒及び中空円筒ラムスリーブに装着される工具による歯間清掃機能や根管治療機能が早期に減退してしまうことになる。また、偏心軸の片減りに伴う異音の発生や振動等も懸念され、これが診療効率の低下や患者に対して不快感を与える原因ともなることが予想される。
【０００５】
また、この種の歯科用ハンドピースの場合、ハンドピース本体（把持部）内の軸回転駆動伝達部の軸回転を円滑に行わせるため、或いは回転部分の発熱を抑えるために、前記ハンドピース本体部から先端ヘッド部内にかけて、潤滑剤が充填され、更には、冷却用空気が供給されるように構成される。然るに、特許文献１に開示された歯科用ハンドピースでは、作動駒が頭部筐体の内壁に接した状態で往復動するため、作動駒及び頭部筐体の内壁が摩耗し易く、前記潤滑剤が冷却空気の供給圧によって、この摩耗による隙間から、頭部筐体における工具の突出部分との間隙を経て、患部に向け噴出されることになる。特に、本特許文献１における工具の装着側とは反対側が蓋体によって封止されているので、前記患部側への吹き出しが顕著となる。一方、特許文献２においては、中空円筒ラムスリーブの往復動方向の前後にはシーリングリングが設けられているので、このような吹き出しが生じる懸念がないが、２個のシーリングリングを必要とするため、部品点数が増大することは不可避である。
【０００６】
本発明は、このような実情に鑑みなされたもので、構造が簡単でありながら、耐久性に優れ、歯間の清掃等に好適に用いられる歯科用ハンドピースを提供することを目的とする。
【課題を解決するための手段】
【０００７】
本発明に係る歯科用ハンドピースは、軸回転駆動伝達部を内蔵するハンドピース本体部と、前記ハンドピース本体部の先側に連接されたヘッドハウジングを含む先端ヘッド部と、該ヘッドハウジングに前記軸回転駆動伝達部の軸心と直交する方向に往復移動可能に内装され、歯科用工具を着脱自在に挿通保持し得る中空円筒状の工具保持部材とを備えた歯科用ハンドピースであって、前記軸回転駆動伝達部の先端部には、前記軸心と偏心した円柱状カム部が設けられ、前記工具保持部材の外周部には、前記円柱状カム部を嵌挿し得る凹溝が周方向に沿って形成され、前記円柱状カム部には相対摺接可能な円環状軸受が外装され、前記円柱状カム部は該軸受が外装された状態で前記凹溝に嵌挿されていることを特徴とする。
【０００８】
本発明の歯科用ハンドピースにおいて、前記工具保持部材は、前記ヘッドハウジングとの間に設けられる規制手段によって、軸回転不能とされていても良い。
【０００９】
また、本発明の歯科用ハンドピースにおいて、前記工具保持部材は、当該工具保持部材の軸心を含み、且つ前記軸回転駆動伝達部の軸心に直交する面に対して対称に形成されていても良い。
【００１０】
更に、本発明の歯科用ハンドピースにおいて、前記工具保持部材は、前記往復移動方向に沿った前記凹溝の両側において、第１及び第２の滑り軸受を介して前記ヘッドハウジングに前記往復移動可能に支持されていても良い。この場合、前記第１及び第２の滑り軸受のうち第１の滑り軸受は、前記歯科用工具が挿通される側とは反対側のヘッドハウジングの開口部に取付けられる円環状キャップを兼ねるものであっても良い。そして、前記第１の滑り軸受には、前記ヘッドハウジングの内外に通じる溝が形成されていても良い。
【発明の効果】
【００１１】
本発明によれば、ハンドピース本体部に内蔵された軸回転駆動伝達部の軸回転に伴い、該軸回転駆動伝達部の先端部に設けられた円柱状カム部が偏心回転する。この円柱状カム部は、前記軸回転駆動伝達部の軸心と直交する方向に往復移動可能に内装された工具保持部材の外周部にその周方向に沿って形成された凹溝に嵌挿されている。前記偏心回転に伴う前記凹溝の溝壁に対する円柱状カム部のカム作用によって、前記工具保持部材は前記軸回転駆動伝達部の軸心と直交する方向に往復移動する。従って、前記工具保持部材の中空円筒部に歯科用工具を挿通保持させれば、歯科用工具も前記回転駆動伝達部の軸心と直交する方向に往復移動し、これによって、歯間の清掃等に供することができる。そして、前記円柱状カム部には円環状軸受が外装されており、前記円柱状カム部は該軸受が外装された状態で前記凹溝に嵌挿されているから、前記カム作用は当該軸受を介してなされ、これによって、円柱状カム部の摩耗の発生が抑えられる。しかも、当該軸受は、前記円柱状カム部に相対摺接可能な状態で外装されているから、円柱状カム部に対して常にフリー回転状態とされる。そのため、前記偏心回転に伴うカム作用において、前記軸受の周面の回転半径の相違による前記凹溝の溝壁に対する擦れ合い時の周速度の異なりが生じ難く、これによって、軸受の外面が擦れ合いによって片減りするおそれがない。従って、本発明の歯科用ハンドピースは、長期の使用においても、歯科用工具の往復移動におけるストローク幅の減退が少なく、また、異音や振動が発生し難く、耐久性に優れたものとなる。
【００１２】
前記工具保持部材が、前記ヘッドハウジングとの間に設けられる規制手段によって軸回転不能とされている場合、前記円柱状カム部によるカム作用によって前記工具保持部材が前記軸心と直交する方向にのみ移動し、前記往復移動が円滑になされる。特に、歯間清掃用の歯科用ハンドピースの場合、工具保持部材に挿通保持される歯科用工具が軸心対称ではなく、診療態様や診療対象部位に応じて、その軸心回りの角度を変え得るような仕様とされる場合が多い。このような場合、事前に前記適正角度を設定した上で診療作業がなされるが、使用中に不意に前記設定角度が変わるような事態が生じず、術者が意図する診療作業を的確に行うことができる。
【００１３】
また、前記工具保持部材が、当該工具保持部材の軸心を含み、且つ前記軸回転駆動伝達部の軸心に直交する面に対して対称に形成されている場合、当該工具保持部材が前記面を対称面としてバランスし、前記工具保持部材の当該工具保持部材の軸心に沿った前記往復移動が円滑になされる。
【００１４】
更に、前記工具保持部材が、前記往復移動方向に沿った前記凹溝の両側において、第１及び第２の滑り軸受を介して前記ヘッドハウジングに前記往復移動可能に支持されているものとすれば、両滑り軸受によって、前記往復移動がより円滑になされる。特に、前記円柱状カム部によるカム作用が働く部位（前記凹溝）の両側で、前記２個の滑り軸受で支持されるから、前記往復移動が安定した状態でなされる。しかも、当該工具保持部材がヘッドハウジングに直接支持されていないから、工具保持部材とヘッドハウジングとが擦れ合うことがなく、両者間に擦れ合いによる摩耗等が生じる懸念がない。この場合、前記第１及び第２の滑り軸受のうち第１の滑り軸受が、前記歯科用工具が挿通される側とは反対側のヘッドハウジングの開口部に取付けられる円環状キャップを兼ねるものとすれば、部品点数の増大を抑えることができる。更にこの場合、前記第１の滑り軸受に、前記ヘッドハウジングの内外に通じる溝を形成するようにすれば、前記のように、ハンドピース本体部内当に充填された潤滑剤や供給された冷却空気が、この溝を通じてヘッドハウジングの前記歯科用工具が挿通される側とは反対側に吹き出す。特に、前記第２の滑り軸受によって、歯科用工具側の工具保持部材とヘッドハウジングとの間は封止されているので、この溝からの前記吹き出しが確実になされる。従って、歯科用工具側、即ち、診療対象部位への潤滑剤や冷却空気の吹き出しが生じず、患者に不快感を与えることがない。
【図面の簡単な説明】
【００１５】
【図１】本発明に係る一実施形態の歯科用ハンドピースの全体構成を示す断面図である。
【図２】図１におけるＸ部の拡大断面図である。
【図３】図２におけるＹ−Ｙ線矢視断面図である。
【図４】におけるＺ−Ｚ線矢視断面図である。
【図５】同実施形態に装着される歯科用工具の一例を示す斜視図である。
【発明を実施するための形態】
【００１６】
以下、本発明の歯科用ハンドピースの実施の形態について図面に基づき説明する。図１〜図５に示す歯科用ハンドピース１は、歯間或いは歯面清掃用の歯科用ハンドピースであって、該歯科用ハンドピース１は、先端ヘッド部２と、該先端ヘッド部２に連接される細径のネック部３と、該ネック部３に連接され手指によって把持される把持部としてのハンドピース本体部４とを備えている。そして、前記ハンドピース本体部４の基部には、先端ヘッド部２に装着される歯科用（歯間清掃用）工具５を、後記する軸心Ｌ２方向に沿って往復移動させるためのモータユニット６が着脱自在に接続される。ハンドピース１にモータユニット６が連結された状態で歯科用インスツルメント７が構成される。このモータユニット６には、該モータユニット６に内蔵されるマイクロモータ８への電源供給用リード線８１、図示を省略する患部照射用ランプの電源供給用リード線、患部に噴霧注水させるための水管路及びエア管路等を内装するホース６１が連結されている。エア管路には、ハンドピース本体部４及び後記するヘッドハウジング２０内の各機構部を冷却するための空気を供給するエア管路も含まれる。
【００１７】
歯科用ハンドピース１は、本体部ハウジング４０にネック部３を介してヘッドハウジング２０が連なってコントラアングル形に形成されている。本体部ハウジング４０内には、ハンドピース本体部の基部にモータユニット６が接続されたときに、マイクロモータ８の出力軸８２にカップリング部９ａを介して連結される第１駆動伝達軸９が軸回転可能に内装されている。第１駆動伝達軸９の先端には第１減速ギヤ機構１０を介して第２駆動伝達軸１１が軸回転可能に連接され、更に、ネック部３に至る部分には、屈折部分の第２減速ギヤ機構１２を介して第３駆動伝達軸（軸回転駆動伝達部）１３が軸回転可能に連接されている。前記第３駆動伝達軸１３は、本体部ハウジング４０内に軸受１４を介して軸回転可能に支持され、その先端部には有底円筒状カムベース１５が圧嵌によって外嵌固設されている。この有底円筒状カムベース１５の先端部に、前記第３駆動伝達軸１３の軸心Ｌ１と偏心して設けられた円柱状カム部１６が一体に形成されている。前記有底円筒状カムベース１５には、内筒部と外部とが通じる通気孔１５ａが設けられており、該通気孔１５ａは、当該有底円筒状カムベース１５を前記第３駆動伝達軸１３の先端に外嵌させる際の空気抜きとされている。前記円柱状カム部１６には、円環状（円筒状）軸受１７が、同心且つ相対摺接可能（フリー回転可能）に外装されている。前記本体部ハウジング４０には、前記モータユニット６に設けられた不図示の照明用ランプ（例えば、ＬＥＤ）が発する照明光を前記ネック部３にまで導光する導光体（例えば、光ファイバ）１８が内装されている。この導光体１８によって導光された照明光は、その出光端１８ａから前記歯間清掃用工具５の先端部に向け出射される。また、本体部ハウジング４０からヘッドハウジング２０の空間部には、前記ホース６１に内装される不図示のエア管路から冷却用空気が供給されるようになされている。
【００１８】
先端ヘッド部２のヘッドハウジング２０には、前記歯間清掃用工具５を着脱自在に挿通保持し得る工具保持部材１９が、当該工具保持部材１９の軸心Ｌ２方向に沿って往復移動可能に内装されている。該工具保持部材１９は、中空円筒状の本体部１９０と、該本体部本体部１９０の外周部に、前記軸心Ｌ２方向に沿って隔設された一対の鍔部１９１，１９２とを含む。以下では、便宜上前記軸心Ｌ２に沿って、図１〜図３における紙面の上側を上、下側を下と言う。この一対の鍔部１９１，１９２の間隔は、前記軸受１７を外装した状態の前記円柱状カム部１６が、若干の遊びをもって嵌挿し得る大きさ、即ち、軸受１７の外径より若干大とされる。この上下の鍔部１９１，１９２は、前記本体部１９０の周面から前記軸心Ｌ２を回転対称軸として１８０°をなす方向に延びる同幅の隔壁１９３，１９４によって連結されている。そして、この隔壁１９３，１９４によって画成された鍔部１９１，１９２間の空間部によって、周方向に沿った２個の凹溝１９５，１９６が形成される。前記隔壁１９３，１９４の遠心方向両端面の中央部と、この部位に対応する鍔部１９１，１９２の周縁部とには、前記本体部１９０の軸心Ｌ２に沿って上下に連続する断面円弧形状の縦溝１９７，１９８が形成されている。この縦溝１９７，１９８は、後記する規制手段２５，２６を構成する第１のキー溝とされる。また、前記ヘッドハウジング２０の内壁部であって、前記本体部１９０の軸心Ｌ２を含み、前記第３駆動伝達軸１３の軸心Ｌ１に直交する仮想面Ｆ（図４参照）が交差する部分には、該仮想面Ｆを対称面として、前記第１のキー溝１９７，１９８と略同曲率の縦溝２１，２２が形成されている。該縦溝２１，２２は、後記する規制手段２５，２６を構成する第２のキー溝とされ、ヘッドハウジング２０の上端開口部２０ａからヘッドハウジング２０の中程にまで及んでいる。
【００１９】
前記工具保持部材１９は、上下の円環状滑り軸受２７，２８によって、前記ヘッドハウジング２０内で上下移動可能、且つ、後記する規制手段２５，２６によって、前記軸心Ｌ２回りの軸回転不能に支持されている。上側の第１滑り軸受２７は、雄ねじ部２７ａを備えており、前記ヘッドハウジング２０の上端開口部２０ａの近傍に設けられた雌ねじ部２０ｂに、前記雄ねじ部２７ａを螺合することによって、ヘッドハウジング２０に取付けられる。また、下側の第２の滑り軸受２８は雄ねじ部２８ａを備えており、前記ヘッドハウジング２０の下端開口部２０ｃの近傍に設けられた雌ねじ部２０ｄに、前記雄ねじ部２８ａを螺合することによって、ヘッドハウジング２０に取付けられる。第１の滑り軸受２７は、ヘッドハウジング２０の上端開口部２０ａに取付けられるキャップを兼ねる。また、該滑り軸受２７の内周面の１８０°対向する位置には、ヘッドハウジング２０の外部と、工具保持部材１９の外側に位置するヘッドハウジング２０の内部とに通じる２個の溝２７ｂ，２７ｂが設けられている。前記第２のキー溝２１，２２は、前記雌ねじ部２０ｂにおいても形成されており、該雌ねじ部２０ｂは、前記第２のキー溝２１，２２に対応する部分において、周方向に分断されている（図３参照）。
【００２０】
前記のように構成される工具保持部材１９を前記ヘッドハウジング２０に組付け、歯科用ハンドピース１を組立てる要領について説明する。先ず、前記第２の滑り軸受２８を、前記雌ねじ部２０ｄ及び雄ねじ部２８ａの螺合によりヘッドハウジング２０に取付ける。図２に示す符号２８ｂは、この螺合操作の際に、滑り軸受２８をドライバー等の工具で前記軸心Ｌ２の回りに捩回するための工具当て用の溝である。次いで、工具保持部材１９を、ヘッドハウジング２０の上端開口部２０ａより挿入し、前記第２の滑り軸受２８に、本体部１９０の下部を、その下端部が前記ヘッドハウジング２０の下端開口部２０ｃより下側に突出するよう嵌挿する。この状態で、工具保持部材１９を、前記第１のキー溝１９７，１９８が、ヘッドハウジング２０側の第２のキー溝２１，２２にそれぞれ整合するよう、手指で前記軸心Ｌ２回りに回転させて位置調整をする。この第１のキー溝１９７，１９８及び第２のキー溝２１，２２間に、これらキー溝の曲率と略同曲率の円柱形のキー部材２３，２４を上から差し込む。これによって、工具保持部材１９の、前記軸心Ｌ２回りの軸回転が不能とされる。即ち、第１のキー溝１９７、キー部材２３及び第２のキー溝２１によって、前記規制手段２５が構成され、第１のキー溝１９８、キー部材２４及び第２のキー溝２２によって、前記規制手段２６が構成される。そして、第１の滑り軸受２７を、前記雌ねじ部２０ｂ及び雄ねじ部２７ａの螺合によりヘッドハウジング２０に取付ける。図３に示す符号２７ｃは、この螺合操作の際に、スパナ等の工具を宛がうためのフライスカット部である。この螺合取付によって、第１の滑り軸受２７は、前記工具保持部材１９における本体部１９０の上部に外装される。
【００２１】
これによって、工具保持部材１９のヘッドハウジング２０に対する組付けが完了する。この組付け状態では、前記２個の規制手段２５，２６によって、当該工具保持部材１９の前記軸心Ｌ２回りの軸回転は不能とされる。しかし、上下の滑り軸受２７，２８によって、当該工具保持部材１９の前記軸心Ｌ２に沿った上下の往復移動は可能とされる。また、前記第１のキー溝１９７，１９８と第２のキー溝２１，２２とがそれぞれ整合した位置で、キー部材２３，２４によって、工具保持部材１９が前記軸心Ｌ２回りの軸回転が不能の状態に維持される。この維持状態では、当該工具保持部材１９の前記各部位の形成態様によって、該工具保持部材１９が、前記軸心Ｌ２を含み、前記第３駆動伝達軸１３の軸心Ｌ１に直交する仮想面Ｆに対して対称とされる。これによって、前記仮想面Ｆを対称面として上下の鍔部１９１，１９２による同形状の凹溝１９５，１９６が対称関係で位置することになる。従って、工具保持部材１９のヘッドハウジング２０に対する組付け時に、前記第１のキー溝１９７，１９８と第２のキー溝２１，２２との整合が図４に示す例とは１８０°逆になっても支障がない。即ち、次にハンドピース本体４に先端ヘッド部２を接続させる際、前記円柱状カム部１６が凹溝１９５，１９６のいずれに嵌挿されても、後記する円柱状カム部１６による回転運動から直線運動への動力伝達機能が同様に発揮される。
【００２２】
前記のように工具保持部材１９が組付けられたヘッドハウジング２０は、事前に前記各機構部が組付けられたハンドピース本体部４の本体部ハウジング４０に接続される。この接続の際、前記軸受１７を外装させた状態の前記円柱状カム部１６を前記凹溝１９５，１９６のいずれかに嵌挿させる。これによって、歯科（歯間清掃）用ハンドピース１の組立が完了する。そして、当該歯間清掃用ハンドピース１の使用に際しては、図１、図２及び図５に示すような歯間清掃用工具５が、前記工具保持部材１９における中空円筒状の本体部１９０の内筒部にその下端部より圧入され、この圧入状態で挿通保持される。該歯間清掃用工具５は、該本体部１９０に挿通保持される円柱状のシャンク部５１と、その先側に連なるヘラ形状の作用部５２とよりなり、該シャンク部５１には、前記本体部１９０の内径より若干大径のフリクション環部５１ａ，５１ｂが形成されている。従って、当該シャンク部５１を前記本体部１９０に挿通する際、このフリクション環部５１ａ，５１ｂが本体部１９０の内壁部に圧接し、この圧接によるフリクション作用によって、工具保持部材１９に対して脱落することなく保持される。
【００２３】
また、前記シャンク部５１における前記作用部５２との連接部位には、１８０°対向する関係で同形状の２個の位置決用のボス５３，５３が突設されている。一方、前記工具保持部材１９における本体部１９０の下端部には、複数個（偶数個）の切欠部１９０ａ…が、１８０°対向する位置に対をなすように形成されている。この複数個の切欠部１９０ａ…は全て同形状であって、前記ボス５３，５３を受容し得る形状とされている。歯間清掃用工具５は、その作用部５２が図示のように歯間に挿入し得るようなヘラ形状とされているから、診療対象部位に応じて作用部５２のヘラ形状部の向き（前記軸心Ｌ２回りの角度）を変える必要がある。従って、前記ボス５３，５３を前記切欠部１９０ａ…のいずれかの対に整合するようにして、歯間清掃用工具５を工具保持部材１９に挿通保持させることによって、このような対応が任意になされる。
【００２４】
前記のように歯間清掃用工具５が前記工具保持部材１９に挿通保持された状態で、前記マイクロモータ８のスイッチ（不図示）がオンとされると、その出力軸８２の軸回転が第１駆動伝達軸９及び第２駆動伝達軸１１を経て第３駆動伝達軸１３に伝達され、該第３駆動伝達軸１３はその軸心Ｌ１回りに軸回転する。該第３駆動伝達軸１３の先端部には円柱状カムベース１５が固定されており、この円柱状カム部材１５には、前記第３駆動伝達軸１３の軸心Ｌ１と偏心する軸心Ｌ３を備える円柱状の円柱状カム部１６が一体に設けられている。従って、前記第３駆動伝達軸１３の軸心Ｌ１回りの軸回転によって、前記円柱状カム部１６は、その軸心Ｌ３の前記軸心Ｌ１に対する偏心幅ｄを回転半径として、前記軸心Ｌ１の回りに偏心回転する。この円柱状カム部１６の偏心回転に伴い、軸受１７を介した円柱状カム部１６が、凹溝１９５を構成する上下の鍔部１９１，１９２の内面に対して、該内面をカムフォロアとして作用する。このカム作用によって、工具保持部材１９が実線位置と２点鎖線位置との間で、前記軸心Ｌ２の方向に沿って上下に往復移動する。この工具保持部材１９の往復移動に伴い、該工具保持部材１９に挿通保持された歯間清掃用工具５も一体に上下に往復移動する。従って、歯間に前記作用部５２を挿入させた状態でこの動作を行えば、歯間に溜まっている歯垢や歯石等が除去される。
【００２５】
前記偏心回転時に、円柱状カム部１６は、軸受１７を介して前記鍔部１９１，１９２の内面に作用するから、円柱状カム部１６の外周部に擦れ合いによる摩耗及び損傷等が生じる懸念がなく、耐久性が向上する。また、軸受１７の外周部において、前記軸心Ｌ１から最も遠い部分の回転半径が最も大きいが、該軸受１７は円柱状カム部１６に対してフリー回転可能に外装されているから、軸受１７における最も回転半径の大きい部分が絶えず変動する。従って、円柱状カム部１６の前記偏心回転に伴うカム作用において、前記軸受１７の外周面の回転半径の相違による鍔部１９１，１９２の内面に対する擦れ合い時の周速度の最も大きな部分も絶えず変動し、これによって、軸受１７の外周面に、擦れ合いによる、いわゆる片減りを生じる懸念がない。従って、長期の使用によっても、歯間清掃用工具５の往復移動ストロークの減退が少なく、また、振動や異音の発生が抑制され、患者に対して不快感を与えることがない。また、工具保持部材１９は、ヘッドハウジング２０に内装された状態では、前記仮想面Ｆに対して対称となるように構成されているから、前記軸心Ｌ２に沿った上下の往復移動が、バランス良く、且つ、円滑になされる。
【００２６】
前記工具保持部１９及び歯間清掃用工具５の上下往復移動動作によって前記歯間清掃診療を行う際、前記不図示の水管路及びエア管路からの水及び空気を歯間清掃用工具５の作用部５２及び診療対象部位に向けて噴霧させ、作用部５２の冷却及び清掃屑の除去等がなされる。また、前記モータユニット６に内蔵される不図示の患部照射用ランプからの光を前記導光体１８を導光させ、出光端１８ａから前記歯間清掃用工具５の先端部に向け出射させて、診療対象部位を明るくした状態で前記清掃診療がなされる。更に、前記清掃診療動作時には、前記ホース６１に内装される不図示のエア管路からハンドピース本体部４及びヘッドハウジング２０内の各機構部を冷却するための空気が、ハンドピース本体部４及びヘッドハウジング２０内の各機構部との空間部に供給される。前記各機構部の組付、組立及びメンテナンス時には、これら機構部の動作が円滑になされるよう潤滑剤が充填されるが、この冷却用空気の供給に伴い、潤滑剤が冷却用空気と共にヘッドハウジング２０内に流入する。前記第１の滑り軸受２７には、ヘッドハウジング２０の内外に通じる溝２７ｂ，２７ｂが形成されているから、ヘッドハウジング２０内に流入した潤滑剤と空気との混合体は、この溝２７ｂ，２７ｂからヘッドハウジング２０の上側の外部に逐次排出される。ヘッドハウジング２０の下側の開口部２０ｃは、実質上第２の滑り軸受２８によって封止されているから、この混合体が診療対象部位に向け吹き出されることがない。
【００２７】
歯間清掃用工具５の先端ヘッド部２に対する装着状態では、図１に示すように、その上端部がヘッドハウジング２０の上方に突出している。従って、診療作業中に歯間清掃用工具５の向きを変えたり、歯間清掃用工具５を交換したりする際は、この突出部分の上端面を前記軸心Ｌ２方向に沿って、手指で強く押すか、ハンマー等で軽く叩くようにすれば、歯間清掃用工具５を先端ヘッド部２から簡易に取外すことができる。
【００２８】
尚、前記の実施形態では、歯間清掃用ハンドピース１を例に採って説明したが、歯科用工具が軸回転駆動部の軸心に直交する方向に往復移動するよう構成される他の歯科用ハンドピースにも好ましく適用される。また、円柱状カム部１６が作用する凹溝１９５，１９６が、上下の鍔部１９１，１９２で構成される例について述べたが、これに限らず、工具保持部材１９の本体部１９０に直接凹設されたものであっても良い。更に、例示した歯間清掃用工具５は、図例の形状ものに限定されず、他の形状のものも採用可能である。
【符号の説明】
【００２９】
１                              歯間清掃用（歯科用）ハンドピース
２                              先端ヘッド部
２０                            ヘッドハウジング
２０ａ                          開口部
４                              ハンドピース本体部
５                              歯間清掃用（歯科用）工具
１３                            第３駆動伝達軸（軸回転駆動伝達部）
１６                            円柱状カム部
１７                            軸受
１９                            工具保持部材
１９５，１９６                  凹溝
２５，２６                      規制手段
２７                            第１の滑り軸受
２７ｂ                          溝
２８                            第２の滑り軸受
Ｌ１                            第３駆動伝達軸（軸回転駆動伝達部）の軸心
Ｌ２                            工具保持部材の軸心
Ｌ３                            円柱状カム部の軸心
Ｆ                              仮想面（Ｌ２を含むＬ１に直交する面）
【図１】
2014121445.tif 000003
【図２】
2014121445.tif 000004
【図３】
2014121445.tif 000005
【図４】
2014121445.tif 000006
【図５】
2014121445.tif 000007